(57)【要約】本発明は、少なくとも２つの菓子類商品（１１）マガジン（１２）を備える菓子類販売機（１００）であって、該菓子類商品マガジン（１２）はそれぞれ、少なくとも１つのマガジン排出機構により（好ましくは１つの）少なくとも１つの菓子類商品販売機出口（１３）と結合されるマガジン出口を含み、上記マガジン排出機構は、作動機構（１０１）の作動時に上記マガジン出口に対し移動を行い、それにより、少なくとも１つの菓子類商品マガジン（１２）中に収容されている少なくとも１つの菓子類商品（１１）を上記マガジン出口（１３）または少なくとも１つの出口コンパートメント（Ａ、Ｂ、Ｃ）に移すようになっている少なくとも１つの菓子類商品適合コンパートメント（１９、２０、２１）を備える、菓子類販売機に関する。本発明によれば、有益なマガジン式供給自動販売機が得られる。
2006502474.tif 000002
【特許請求の範囲】
【請求項１】
少なくとも２つの菓子類商品（１１）マガジン（１２）を備える菓子類販売機（１００）であって、
該少なくとも２つの菓子類商品マガジン（１２）はそれぞれ、少なくとも１つのマガジン排出機構により（好ましくは１つの）少なくとも１つの菓子類商品販売機出口（１３）と結合されるマガジン出口を含み、
前記マガジン排出機構は、作動機構（１０１）の作動時に前記マガジン出口に対し移動を行い、それにより、少なくとも１つの菓子類商品マガジン（１２）中に収容されている少なくとも１つの菓子類商品（１１）を前記マガジン出口（１３）または少なくとも１つの出口コンパートメント（Ａ、Ｂ、Ｃ）に移すようになっている、少なくとも１つの菓子類商品適合コンパートメント（１９、２０、２１）を備える、菓子類販売機。
【請求項２】
菓子類販売機（１００）であって、前記菓子類商品マガジン（１２）は交換可能である、請求項１に記載の菓子類販売機。
【請求項３】
菓子類販売機（１００）であって、前記出口コンパートメント（Ａ、Ｂ、Ｃ）は、前記少なくとも１つの出口（１０２）と機械的に結合し、それにより、前記作動機構（１０１）の作動時に前記少なくとも１つの菓子類商品（１１）を移すことを容易にする、請求項１または２に記載の菓子類販売機。
【請求項４】
菓子類販売機（１００）であって、前記作動機構（１０１）は手動で駆動される、請求項１ないし３のいずれか1項に記載の菓子類販売機。
【請求項５】
菓子類販売機（１００）であって、前記作動機構（１０１）は自動的に駆動される、請求項１ないし４のいずれか1項に記載の菓子類販売機。
【請求項６】
菓子類販売機（１００）であって、前記商品はチューインガム個装（１１）を含む、請求項１ないし５のいずれか1項に記載の菓子類販売機。
【請求項７】
菓子類販売機（１００）であって、前記マガジン排出機構は、前記作動機構による作動時に回転可能な少なくとも１つの菓子類商品適合コンパートメント（１９、２０、２１）を備える、請求項１ないし６のいずれか1項に記載の菓子類販売機。
【請求項８】
菓子類販売機（１００）であって、前記マガジン（１２）は、ほぼ垂直な方向に該販売機（１００）と位置合わせされ、それにより、前記マガジン排出機構の作動時に前記下部コンパートメント（１９、２０、２１）に向かわせて前記マガジンを空にしやすくする重力が得られる、請求項１ないし７のいずれか1項に記載の菓子類販売機。
【請求項９】
菓子類販売機（１００）であって、前記マガジンは、上から見るとほぼ円形のプロファイルになるように配置される、請求項１ないし８のいずれか１項に記載の菓子類販売機。
【請求項１０】
菓子類販売機（１００）であって、前記マガジン（１２）は、前記マガジンに収容されている商品（１１）の向きを確定する、請求項１ないし９のいずれか1項に記載の菓子類販売機。
【請求項１１】
菓子類販売機（１００）であって、前記マガジン（１２）はほぼ半透明であり、それにより、該販売機の利用者が前記マガジンに収容されている商品（１１）の少なくとも一部、好ましくは前記商品のほとんどを可視できることを容易にする、請求項１ないし１０のいずれか1項に記載の菓子類販売機。
【請求項１２】
菓子類販売機（１００）であって、前記マガジン（１２）は、ほぼ半透明のハウジング（２０６）内に配置される、請求項１ないし１１のいずれか１項に記載の菓子類販売機。
【請求項１３】
菓子類販売機（１００）内に菓子類商品（１１）、好ましくはチューインガム個装を収容する方法であって、前記販売機（１００）は、少なくとも１つの菓子類排出機構とつながる少なくとも１つの利用者用作動機構（１０１）を備え、前記少なくとも１つの菓子類排出機構は、前記利用者用作動機構（１０１）による利用者の制御下で、前記菓子類商品（１１）を出口（１０２）に排出するようになっており、それにより、前記菓子類商品は、少なくとも２つの菓子類商品（１１）保持マガジン（１２）により前記排出機構に供給される、方法。
【請求項１４】
菓子類商品（１１）を収容する方法であって、
前記マガジン（１２）は、前記マガジンに収容されている商品（１１）の向きを確定する、請求項１３に記載の方法。
【請求項１５】
菓子類商品（１１）を収容する方法であって、前記収容されている商品は、前記販売機（１００）の利用者に対し可視であるか、または少なくともほぼ目に見える、請求項１３または１４に記載の方法。
【発明の詳細な説明】
【技術分野】
【０００１】
［発明の分野］
本発明は、請求項１に記載の菓子類商品（物品）販売機、および請求項１０に記載の菓子類商品（物品）を収容する方法に関する。
【０００２】
［発明の背景］
当該技術分野内で自動販売機とも呼ばれる複数のタイプの菓子類販売機は、ここ百年にわたり提供されてきた。
【０００３】
既存の菓子類販売機の１つの問題は、販売機が、サイズを特徴付けるある形状またはある体積を有する商品を取り扱うことに制限されていることである。通常、かかる自動販売機は、確実な排出（物品）を得るためにある程度の乱れは避けられない。
【０００４】
本発明の目的は、天候等の典型的な環境の影響および破壊行為に耐え得り、信頼性が高く、利用者が利用しやすい方法で角ばった（尖角状）商品を扱うことができる菓子類販売機を提供することである。
【０００５】
［発明の概要］
本発明は、少なくとも２つの菓子類商品マガジンを備える菓子類販売機であって、該菓子類商品マガジンはそれぞれ、少なくとも１つのマガジン排出機構により（好ましくは１つの）少なくとも１つの菓子類商品販売機出口と結合されるマガジン出口を含み、上記マガジン排出機構は、作動機構の作動時に上記マガジン出口に対し移動を行い、それにより、少なくとも１つの菓子類商品マガジン中に収容されている少なくとも１つの菓子類商品を上記マガジン出口または少なくとも１つの出口コンパートメントに移すようになっている少なくとも１つの菓子類商品適合コンパートメントを備える、菓子類販売機に関する。
【０００６】
本発明によれば、有益なマガジン式供給自動販売機が得られる。
【０００７】
本発明の一実施形態では、上記菓子類商品マガジンは交換可能である。
【０００８】
本発明の好適な一実施形態によれば、販売機は、完全に空になったまたは一部が空になったマガジンを既に充填されたマガジンと交換することにより単純に補充されることができる。
【０００９】
当然のことながら、マガジン、商品位置合わせコンパートメントが単独で、または双方が組み合わさって移動することにより相対移動が得られ得ることに留意されたい。
【００１０】
本発明の一実施形態では、上記出口コンパートメントは、上記少なくとも１つの出口と機械的に結合し、それにより、上記作動機構の作動時に少なくとも１つの菓子類商品を移すことを容易にする。
【００１１】
本発明の一実施形態では、上記作動機構は手動で駆動される。
【００１２】
本発明の一実施形態では、上記作動機構は自動的に駆動される。
【００１３】
本発明の一実施形態では、上記商品はチューインガム個装（パッケージ）である。
【００１４】
本発明の一実施形態では、上記マガジン排出機構は、上記作動機構による作動時に回転可能な少なくとも１つの菓子類商品適合コンパートメントを備える。
【００１５】
本発明の一実施形態によれば、上記マガジンは、ほぼ垂直な方向に販売機と位置合わせされ、それにより、マガジン排出機構の作動時に下部コンパートメントに向かわせてマガジンを空化しやすくする重力が得られる。
【００１６】
本発明の一実施形態によれば、上記マガジンは、上から見るとほぼ円形のプロファイルで配置されている。
【００１７】
本発明の一実施形態によれば、マガジンは、該マガジンに収容されている商品の向きを確定する。
【００１８】
本発明の一実施形態では、マガジンはほぼ半透明であり、それにより、販売機の利用者が、マガジンに収容されている商品の少なくとも一部、好ましくは該商品のほとんどを可視できることを容易にする。
【００１９】
本発明の一実施形態では、マガジンは、ほぼ半透明のハウジング内に配置される。
【００２０】
さらに、本発明は、菓子類販売機内に菓子類商品、好ましくはチューインガム個装を収容する方法であって、上記販売機は、少なくとも１つの菓子類排出機構とつながる少なくとも１つの利用者用作動機構を備え、上記少なくとも１つの菓子類排出機構は、上記利用者用作動機構による利用者の制御下で、菓子類商品を出口に排出するようになっており、それにより、上記菓子類商品は、少なくとも２つの菓子類商品保持マガジンにより上記排出機構に供給される、方法に関する。
【００２１】
本発明の好適な一実施形態によれば、単に商品の形状をマガジンに合わせる、または、それとは逆にマガジンを商品の形状に合わせることによって、販売機内に収容される商品の向きを制御することができる。
【００２２】
本発明によれば、商品はマガジンにぴったり合うものとし、それにより、個装が全く所望通りの向きにされることで、商品個装デザインが所定通りに提示され得ることを容易にする。
【００２３】
このようにして、実際に個装デザインが唯一の商品記載手段であり得るため、実際には、販売機は複数の異なるタイプの個装とともに使用するようになっているものとすることができる。
【００２４】
好ましくは、個装は、例えば、マガジンの完全な排出の際に前面が外側に向けられるマガジン中に収容されるものとする。しかしながら、実際には、マガジンデザインはマガジンの排出の際に様々な向きを予め決めることができることに留意されたい。
【００２５】
本発明の一実施形態では、マガジンは該マガジンに収容される商品の向きを確定する。
【００２６】
本発明の一実施形態では、収容されている商品は、販売機の利用者に可視であるか、または少なくともほぼ目に見える。
【００２７】
次に本発明を、図面を参照しながら開示する。
【００２８】
［詳細な説明］
図１ａ〜図１ｃおよび図２は、本発明による菓子類販売機の好適な一実施形態を示す。好ましくは、関連する菓子類は、チューインガム個装１１である。
【００２９】
図示の販売機は９本のマガジン１２を備えている。マガジン１２は、チューインガム個装の縦列１、２、３、４、５、６、７、８、および９を含む。図示の実施形態によれば、各マガジン１２は、初めから７つの個装を収容している。ほとんど任意の他の数の個装が本発明の範囲内で用いられることができることに留意されたい。
【００３０】
示した平面図の断面は、典型的な自動販売機内に逆さに円形をなすように配置されている場合のマガジン１２の断面を示す。マガジンの実際の３次元配置は図２に示す。
【００３１】
マガジン１２は、ある１つのマガジンから中間コンパートメントＡ、Ｂ、またはＣに菓子類商品を移すようになっている３つのコンパートメント１９、２０、２１を備えるマガジン排出機構と連通する。
【００３２】
本発明によれば、実際には１つ以上の任意の数のコンパートメント１９、２０、２１を本発明の範囲内で用いることができる。
【００３３】
さらに、実際には１つ以上の任意の数の中間コンパートメントＡ、Ｂ、およびＣを本発明の範囲内で用いることができる。
【００３４】
３つのコンパートメント１９、２０、および２１の機能は、図１ａ〜図１ｃに示すことができる。３つのコンパートメント１９、２０、２１は、最初に３つの菓子類個装１１１、１１２、１１３を収容している。本発明の好適な一実施形態によれば、販売機は、好ましくは、利用者により作動される度に菓子類商品１１を正確に１個分配するものとする。実際には、任意の他の数を本発明の範囲内で用いることができることは明らかである。数が２つである場合、本実施形態の３つのコンパートメントは、１１１、１１２、１１３で示す1個の商品の代わりに、２個の商品１１を保持することができるものとする。
【００３５】
さらに、上述の中間コンパートメントＣは菓子類商品１１４を収容しているが、コンパートメントＡおよびＢは空となっている。
【００３６】
作動機構（図示せず）が利用者により手動でまたは自動式に作動すると、コンパートメント１９、２０、２１および中間コンパートメントＡ、Ｂ、およびＣが回転する。
【００３７】
コンパートメント１９、２０、２１；Ａ、Ｂ、Ｃの２層の回転移動により、個装１１４が左から右に回転する。図１ｂに示すように、この移動の最初の成果は、コンパートメント１９に収容されていた商品１１２がコンパートメントの回転および重力の影響下でコンパートメント１９から中間コンパートメントＢに移されることである。それと同時に商品１１４も左から右に回転する。
【００３８】
マガジンは、本発明に従った任意の適した方法で回転する（例えば右から左に回転する）ことができることに留意されたい。
【００３９】
図１ｃでは、商品１１４がコンパートメントＣから出口１３に放出されており、さらに、ここでもまた重力の影響下で、商品の縦列７が新たな菓子類商品をコンパートメント１９に押し込み、販売機は新たな分配動作の準備を整えた状態に入っている。
【００４０】
個装１１の排出は、例えば、ばね、排出が得られる他の適した手段等の排出手段の影響下で行われることができることを重要視されたい。
【００４１】
示した本発明の好適な実施形態によれば、マガジンは左から右に順に空となる、すなわち、商品の縦列７が先に空となり、その後、順に縦列８、縦列９、縦列１といったように空となり、最後に縦列６が空となることに留意されたい。
【００４２】
本発明によれば、このように制御された空化は、一部には、最初に空となったマガジン１２が販売機の少なくとも可視面に位置することができるということにより非常に好ましい。さらに、また、非常に重要なことに、マガジンは一度に１つずつ空になるため、一部が空になったマガジンが決して２つ以上にならないということにより、補充が幾分容易となる。そのため、補充は、満充填マガジンでなされることが好ましいであろう。
【００４３】
好適な一実施形態によれば、示したマガジンは、既充填マガジン１２により完全に交換されることができる。
【００４４】
示した実施形態は、チューインガム個装を分配するために利用されることが好ましいことに留意されたい。
【００４５】
本発明は、角ばった商品が従来技術のコンテナから販売機の出口に移される際に幾分制御しにくい可能性があるということにより、角ばった商品との組み合わせにおいて特に有益であることに留意されたい。
【００４６】
販売機は、丸みのある商品を分配するのにも用いることができることは明らかである。
【００４７】
さらに、本発明は、例えば賞味期限（shelf life：保存寿命）が限られている菓子類商品を扱う際に非常に重要であるマガジン式空化（a magazine-wise emptying）を容易にする。このようにして、商品の賞味期限（age）を明らかにして把握することが可能である。
【００４８】
好ましくは、図示の販売機は、例えば硬貨受け取りインタフェース（coin-receiving interface）により作動することができ、好ましくは公共の場所で使用されるようになっている。
【００４９】
本発明の好適な一実施形態によれば、単に商品の形状をマガジンに合わせる、または、それとは逆にマガジンを商品の形状に合わせることによって、販売機内に収容される商品１１の向きを制御することができる。
【００５０】
本発明によれば、商品はマガジンにぴったり合うものとし、それにより、個装が全く所望通りの向きにされることで、商品個装デザインが所定通りに提示され得ることを容易にする。
【００５１】
このようにして、実際に個装デザインが唯一の商品記載手段であり得るため、実際には、販売機は複数の異なるタイプの個装とともに使用するようになっているものとすることができる。
【００５２】
好ましくは、個装は、例えば、マガジンの完全な排出の際に前面が外側に向けられるマガジン中に収容されるものとする。しかしながら、実際には、マガジンデザインはマガジンの排出の際に様々な向きを予め決めることができることに留意されたい
【００５３】
図２は、図１ａ〜図１ｃに示した販売機の対応する３次元図を示す。図示の販売機は９本のマガジン１２を含む（図２にはそのうち２本しか示していない）。
【００５４】
マガジン１２は、ロック部材２０５によって底部２０７に機械的に固定可能な上部ロック２０４により底部２０７に固定することができる上部分２０６（好ましくは半透明である）を含む販売機ハウジングに収容されている。
【００５５】
菓子類商品１１は、マガジン１２中に収容され、マガジンは、円形底部２０１に設置されているとともに対応する下流開口２０２と位置合わせされている。
【００５６】
マガジン排出機構は、商品保持コンパートメント１９、２０、２１を備える。商品１１がコンパートメント２１に滑り落ちる際の様子が示されている。
【００５７】
開口２０３はコンパートメントＡ、Ｂ、およびＣへ排出する排出機構として作用し、最終的にこれらコンパートメントは出口（図示せず）と連通する。
【００５８】
フィードスルー機構の十分な説明については、図１ａ〜図１ｃの上記説明を参照されたい。
【００５９】
実際には、２つの回転式コンパートメントシステム１９、２０、２１およびＡ、Ｂ、Ｃの一方を省くことができ、一方を省いてもなお、マガジンの有益な空化を得ることができることに留意されたい。
【００６０】
しかしながら、商品への環境の影響、破壊行為等に抗するように、図示の２段ロック式空化システムが好ましい。
【００６１】
本発明によれば、販売機機構が単純で安価な手段により実現され得ることにより、低コストの菓子類販売機が提供される。
【００６２】
図３は、作動手段１０１および商品出口１０２を備えた販売機１００の、外側から可視できる部分を示す。
【００６３】
好ましくは、販売機１００の上部分２０６は、図２で述べたように半透明である。
【００６４】
販売機は、回転式グリップ１０１の形態の利用者用インタフェースを備え、このグリップ１０１を手動で作動させるとともに支払い金（硬貨等）を投入することで、排出品を出口１０２に引き出すことができる。
【００６５】
好ましくは、図示の販売機は、例えば上記グリップ１０１と一体となった硬貨受け取りインタフェースにより作動することができ、公共の場所で使用されるようになっていることが好ましい。
【図面の簡単な説明】
【００６６】
【図１ａ】本発明の好適な一実施形態によるマガジン式供給販売機による排出の原理を示す図である。
【図１ｂ】本発明の好適な一実施形態によるマガジン式供給販売機による排出の原理を示す図である。
【図１ｃ】本発明の好適な一実施形態によるマガジン式供給販売機による排出の原理を示す図である。
【図２】本発明の好適な一実施形態による販売機の主要構成部材の透視図である。
【図３】本発明による販売機の斜視図である。
【図１ａ】
2006502474.tif 000003
【図１ｂ】
2006502474.tif 000004
【図１ｃ】
2006502474.tif 000005
【図２】
2006502474.tif 000006
【図３】
2006502474.tif 000007
【国際調査報告】
2006502474.tif 000008
2006502474.tif 000009
2006502474.tif 000010